(57)【要約】【課題】カメラを照度センサと兼用しながら消費電流を抑える。【解決手段】携帯電子機器は、行列方向に配列された複数の受光素子（フォトダイオードアレイ１００）を有するカメラ部（イメージセンサ１０）と、カメラ部が生成する受光信号のデジタル信号処理を行い、撮影画像を出力するデジタル信号処理部（ＤＳＰ１１）とを有するカメラモジュール１と、表示部（ＬＣＤモニタ５）と、発光素子を有する照明部（バックライト６）と、カメラモジュール１から出力される撮影画像を表示部に表示するカメラモードと、カメラ部を用いて表示部の輝度調整を行う照度センサモードとを実行する主制御部（ベースバンド処理部３）と、を備え、主制御部は、照度センサモードにおいて、受光素子から出力される一部の受光信号に基づき、表示部の輝度調整を行う。【選択図】図１
2009010697.tif 000002
【特許請求の範囲】
【請求項１】
行列方向に配列された複数の受光素子を有するカメラ部と、前記カメラ部が生成する受光信号のデジタル信号処理を行い、撮影画像を出力するデジタル信号処理部と、を有するカメラモジュールと、
表示部と、
発光素子を有する照明部と、
前記カメラモジュールから出力される撮影画像を前記表示部に表示するカメラとして機能する第１の機能と、前記カメラ部を用いて前記照明部の輝度調整を行う照度センサとして機能する第２の機能とを実行する主制御部と、を備え、
前記主制御部は、
前記第２の機能を実行するとき、前記受光素子から出力される一部の受光信号に基づき、前記照明部の輝度調整を行う
ことを特徴とする携帯電子機器。
【請求項２】
前記カメラ部から出力される一部の受光信号を、前記デジタル信号処理部を介さずに前記主制御部に供給するバイパス部を備え、
前記主制御部は、
前記第１の機能を実行するにあたり前記バイパス部を無効にし、前記第２の機能を実行するにあたり前記バイパス部を有効にする制御を行う
ことを特徴とする請求項１に記載の携帯電子機器。
【請求項３】
前記主制御部は、
前記第１の機能を実行するにおいて、前記カメラモジュールからフレームレートを取得して前記照明部の輝度調整を行う
ことを特徴とする請求項１または２に記載の携帯電子機器。
【請求項４】
前記主制御部は、
前記第２の機能を実行するにおいて、前記第１の機能の実行時に使用するフレームレートと相関を有する露光時間に合わせて取得した受光信号に基づき前記照明部の輝度調整を行う
ことを特徴とする請求項３に記載の携帯電子機器。
【発明の詳細な説明】
【技術分野】
【０００１】
本発明は、ＣＭＯＳイメージセンサを含むカメラ付き携帯電話等の携帯電子機器に関する。
【背景技術】
【０００２】
バックライト付きＬＣＤモニタを表示デバイスとして備えた携帯電話では、暗い場所で使用する場合、バックライトの照度を上げて明るくし、逆に、明るい場所で使用する場合、バックライトの照度を下げて暗くする制御を行うことで、ユーザに画面の快適な視認環境を提供するとともに、消費電流の抑制が行われる。
【０００３】
従来は、周辺の明るさを検出するためのフォトセンサ等から成る照度センサを付加し、この照度センサが計測する周囲の明るさに応じてバックライトの照射レベルを制御してＬＣＤの輝度調整を行う方法が採られていた。
【０００４】
これに対し、照度計を付加したことによる部品点数の増加やデサイン上の制約等により、携帯電話に付属のカメラを照度計として兼用する代案が知られている（例えば、特許文献１、２参照）。
【特許文献１】特開２００５−２８６５２３号公報
【特許文献２】特開２００２−３４４５９８号公報
【発明の開示】
【発明が解決しようとする課題】
【０００５】
しかしながら上記した特許文献１、２に開示された技術によれば、カメラの露出補正を用いてバックライトの照度調整を行う。このようにカメラ機能をフルに使用するため消費電流が大きくなってしまうといった不都合が発生する。
【０００６】
本発明は、カメラを照度センサと兼用しながら消費電流を抑えることのできる携帯電子機器を提供することを目的とする。
【課題を解決するための手段】
【０００７】
上記した課題を解決するために本発明の携帯電子機器は、行列方向に配列された複数の受光素子を有するカメラ部と、前記カメラ部が生成する受光信号のデジタル信号処理を行い、撮影画像を出力するデジタル信号処理部と、を有するカメラモジュールと、表示部と、発光素子を有する照明部と、前記カメラモジュールから出力される撮影画像を前記表示部に表示するカメラとして機能する第１の機能と、前記カメラ部を用いて前記照明部の輝度調整を行う照度センサとして機能する第２の機能とを実行する主制御部と、を備え、前記主制御部は、前記第２の機能を実行するとき、前記受光素子から出力される一部の受光信号に基づき、前記照明部の輝度調整を行う。
【０００８】
また、本発明の携帯電子機において、前記カメラ部から出力される一部の受光信号を、前記デジタル信号処理部を介さずに前記主制御部に供給するバイパス部を備え、前記主制御部は、前記第１の機能を実行するにあたり前記バイパス部を無効にし、前記第２の機能を実行するにあたり前記バイパス部を有効にする制御を行うように構成してもよい。
【０００９】
また、本発明の携帯電子機において、前記主制御部は、前記第１の機能を実行するにおいて、前記カメラモジュールからフレームレートを取得して前記照明部の輝度調整を行うように構成してもよい。
【００１０】
また、本発明の携帯電子機において、前記主制御部は、前記第２の機能を実行するにおいて、前記第１の機能の実行時に使用するフレームレートと相関を有する露光時間に合わせて取得した受光信号に基づき前記照明部の輝度調整を行うように構成してもよい。
【発明の効果】
【００１１】
本発明によれば、カメラを照度センサと兼用しながら消費電流を抑えることのできる携帯電子機器を提供することができる。
【発明を実施するための最良の形態】
【００１２】
［実施の形態１］
図１は、本発明の実施の形態１に係る携帯電子機器の内部構成を示すブロック図である。ここでは、携帯電子機器としてカメラ付き携帯電話が例示されている。
図１に示されるように、カメラ付き携帯電話は、ベースバンド処理部３を制御中枢とし、カメラモジュール１と、メモリ２と、ＲＦ回路４と、ＬＣＤモニタ５と、バックライト６とにより構成される。
【００１３】
カメラモジュール１を構成するデバイスはＣＭＯＳプロセスにより製造され、後述するように行列方向に配列された複数の受光素子（イメージセンサ１０）を有するカメラ部と、当該カメラ部が生成する受光信号のデジタル信号処理を行い、撮影画像をベースバンド処理部３へ出力するデジタル信号処理部（ＤＳＰ１１）とを有する。
【００１４】
ベースバンド処理部３（主制御部）は、メモリ２に記録されたプログラムに基づき携帯電話としての通信機能を実現する他、カメラモジュール１から出力される撮影画像を表示部としてのＬＣＤモニタ５に表示したり、メモリ２へ当該撮像画像を保存するカメラモード（第１の機能）を実行可能である。また、ベースバンド処理部３は、カメラ部を用いて表示部の輝度調整を行う照度センサモード（第２の機能）を実行する機能も有する。照度センサモードにおいて、受光素子から出力される一部の受光信号に基づき、表示部の発光部（照明部）の輝度調整を行う。詳細は後述する。
【００１５】
ＲＦ回路４は高周波回路である。また、バックライト６（照明部）は、ＬＥＤのような発光素子（Light Emitted Diode）によってＬＣＤモニタ５を裏側から照射する透過型のものを想定しており、ベースバンド処理部３が、バックライト６用のＬＥＤによりＬＣＤモニタ５を照射する照射レベルを調整することで、周囲の状況（明るさ）と調和がとれ、ＬＣＤモニタ５に表示された表示情報の視認性を高めることができる。また、操作キーの視認性を高めることができる。
【００１６】
カメラモジュール１は、カメラ部としてのイメージセンサ１０と、デジタル信号処理部としてのＤＳＰ１１と、クロック制御回路１２と、ＡＤＣ（Analog-Digital Converter）１３と、アナログ電源制御回路１４と、バイパス回路１５とにより構成される。
【００１７】
イメージセンサ１０は、例えば、その構成が図２に示されるように、各画素を構成するフォトダイオード（受光素子）が行列方向に配列されることによりフォトダイオードアレイ１００を構成する。
初期状態において、行アドレス走査回路１０１と、列アドレス走査回路１０２は、撮像面を規定数（＝１）の垂直列ずつ行方向に走査する。フォトダイオードで生成される電荷は、かかる走査により順次選択出力され、アンプ１０３経由でＡＤＣ１３に供給される。
【００１８】
撮影画像は、イメージセンサ１０から出力される電荷に基づきＤＳＰ１１により作成される。
すなわち、ＡＤＣ１３は、イメージセンサ１０からの出力をデジタル信号に変換してＤＳＰ１１に供給し、ＤＳＰ１１は、入力されるデジタル信号である撮像画像からとりこまれる各フレームのデジタル画像データに色分離し、ＡＷＢ（白バランス調整）、ＹＵＶ（Ｙ：輝度、Ｕ：輝度信号と青色成分の差、Ｖ：輝度信号と赤色信号の差）変換等の一連の処理を施してベースバンド処理部３へ供給する。
【００１９】
ベースバンド処理部３は、ＤＳＰ１１から出力される各フレームの画像データをメモリ２へ書き込む。そして、ベースバンド処理部３は、メモリ２に書き込まれた１フレームの画像データを例えば、１／３０秒のフレームレート毎に読み出して（１水平行ずつ垂直方向に走査）ＬＣＤモニタ５に表示する。
【００２０】
一方、カメラモードが実行されていないとき、ベースバンド処理部３は、カメラモジュール１のうちのアナログ系回路である、フォトダイオードアレイ１００、アンプ１０３、ＡＤＣ１３にアナログ電源制御回路１４を介して電源を供給することにより動作を有効にする。
そして、行アドレス走査回路１０１と列アドレス走査回路１０２による行と列のアドレス選択を固定（ここでは、フォトダイオードアレイ１００の略中央の画素ＤＣを照度測定対象画素として常に選択）して選択動作を停止させる。
また、ＤＳＰ１１についても動作を停止させ、クロックが必要な回路をＡＤＣ１３のみとし、バイパス回路１５を有効としてＡＤＣ１３からの出力をベースバンド処理部３へ供給するものとする。
カメラモジュール１を構成するデバイスは、ＣＭＯＳプロセスで製造されるため、デジタル系回路の消費電流は、クロックが供給されない場合ほとんど電流を消費しない。したがって、クロックの制御により消費電流の抑制が可能になる。なお、アンプ１０３等のアナログ系回路は、クロック制御にて行アドレス走査回路１０１と、列アドレス走査回路１０２を走査させて、画素ＤｃをＯＮする状態で両走査回路を停止させればクロック不要で動作させることができる。
【００２１】
図３は、本発明の実施の形態１に係る携帯電子機器の動作を示すフローチャートである。ここでは説明を簡略化するために、カメラモジュール１を照度センサと兼用して、キー照明（図１のバックライト６）を制御する場合を例示して説明する。つまり、携帯電話使用時に周囲が明るい場合はキー照明を消灯し、周囲が暗い場合にキー照明を点灯するものとする。
【００２２】
ベースバンド処理部３は、定期的に照度を監視するため、例えば、５秒周期でカメラモジュール１へアクセスするものとし、このため５秒の待機を行う（ステップＳ３０１）。
次に、ベースバンド処理部３は、本発明を構成する携帯電話がカメラモードか否かの判定を行い（ステップＳ３０２）、カメラモードの際には（Ｓ３０２“Ｙｅｓ”）、そのフレームレートを取得する（ステップＳ３０３）。そして、取得したフレームレートと所定の値をもつフレームレート（閾値）と比較し（ステップＳ３０４）、フレームレートが閾値より遅い場合（ステップＳ３０４“Ｙｅｓ”）、周囲は暗いものと判定し、カメラ部のゲインを取得することにより周辺照度を判別してキー照明を点灯する（ステップＳ３０５、Ｓ３０６）。また、ステップＳ３０４でフレームレートが閾値より速いと判定された場合（Ｓ３０４“Ｎｏ”）、周囲が明るいものと判定し、結果、キー照明は消灯される（Ｓ３１５）。
【００２３】
一方、ステップＳ３０２で照度センサモードであった場合（Ｓ３０２“Ｎｏ”）、ベースバンド処理部３は、アナログ電源制御回路１４を制御することにより、カメラモジュール１のうちのアナログ系回路である、フォトダイオードアレイ１００、アンプ１０３、ＡＤＣ１３に電源を供給して動作を有効にする（ステップＳ３０７）。
デジタル系回路は、高い周波数のクロックを必要とする場合がほとんどであり消費電流が大きいため、今回用いられないＤＳＰ１１にはクロックを供給せず、比較的消費電流が少ないＡＤＣ１３にのみクロックを供給する（ステップＳ３０８）。このことにより、カメラモジュール１を使用しても消費電流が少ないまま照度を測定することができる。
そして、ＤＳＰ１１をバイパスしてベースバンド処理部３へ供給するパスであるバイパス回路１５を有効とすることにより（ステップＳ３０９）、固定されたフォトダイオードＤＣによる照度に比例したセンサ値（ＡＤＣ１３出力）がベースバンド処理部３に入力される。ベースバンド処理部３は、その値を取得することで照度を測定することができる（ステップＳ３１０）。
【００２４】
ベースバンド処理部３は、照度を測定した後バイパス回路１５を無効にし（ステップＳ３１１）、また、クロック制御回路１２を制御することによりＡＤＣ１３に対するクロックの供給を遮断することでＡＤＣ１３の動作を無効にする（ステップＳ３１２）。さらに、アナログ電源制御回路１４を制御することにより、アナログ系回路であるフォトダイオードアレイ１００、アンプ１０３、ＡＤＣ１３に対する電源を遮断してその動作を無効にする（ステップＳ３１３）。
ベースバンド処理部３は、測定された照度によりキー照明の判定を行い（ステップＳ３１４）、取得したセンサ値が閾値より低ければ（ステップＳ３１４“Ｎｏ”）周辺が暗いと判定してキー照明を点灯し（ステップＳ３０６）、取得したセンサ値が閾値より高ければ（ステップＳ３１４“Ｙｅｓ”）周辺が明るいと判定しキー照明を消灯する（ステップＳ３１５）。
【００２５】
なお、上記した本発明の実施の形態１に係る携帯電子機器によれば、キー照明の点灯、消灯を例示して消費電流を抑制する処理について説明したが、ＬＣＤモニタ５の輝度調整においても同様の手順で実施しえるものである。この場合、キー照明の点灯は、バックライト６の照度を制御してＬＣＤモニタ５の輝度を上げ、キー照明の消灯はバックライト６の照度を制御してＬＣＤモニタ５の輝度を下げる処理に代わる。
【００２６】
以上説明のように本発明の実施の形態１に係る携帯電子機器（携帯電話）によれば、カメラモジュール１（イメージセンサ１０）の一部画素（照度測定対象画素ＤＣ）の受光信号に基づきＬＣＤモニタ５の輝度調整が可能になる。したがって、カメラを照度センサと兼用しながら、カメラモードとしてカメラを動作させていないとき、消費電流を抑制して、カメラ部を用いることが可能となる。
【００２７】
［実施の形態２］
図４は、本発明の実施の形態２に係る携帯電子機器の内部構成を示すブロック図である。図１に示す実施の形態１との差異は、クロック供給に際しカメラモジュール１内のＡＤＣ１３もバイパスするアンプ１０３とバイパス回路１５を構成としたことにある。
この場合、照度センサモード時（カメラとして動作していない場合）の照明部の輝度閾値は、ベースバンド処理部３で処理される。そしてイメージセンサ１０より供給される受光信号は、バイパス回路１５を介して内蔵ＡＤＣ３０にてデジタル信号へと変換される。この場合、カメラモジュール１内部のＡＤＣ１３は不用になるため、カメラモジュール１内のＡＤＣ１３に対するアナログ電源の供給とクロック制御が不要になる。従って、消費電流が抑えられる。一方、内蔵ＡＤＣ３０を内蔵したベースバンド処理部３は、カメラモジュール１を、カメラモード／照度センサモードのいずれのモードで用いているときでも通信機能等を作動させる為に常に電流を消費している。従って、内蔵ＡＤＣ３０を機能させる為に、別途電流を消費しない為、電流の消費を抑えることが出来る。
【００２８】
図５は、本発明の実施の形態２に係る携帯電子機器の動作を示すフローチャートである。以下、図５のフローチャートを参照しながら図４に示す携帯電子機器の動作について説明する。
【００２９】
ベースバンド処理部３は、定期的に照度を監視するため、実施の形態１同様、５秒周期で行うものとし、このため５秒の待機を行う（ステップＳ５０１）。
ベースバンド処理部３は、次に、カメラモードか否かの判定を行い（ステップＳ５０２）、カメラモード時には（ステップＳ５０２“Ｙｅｓ”）、そのフレームレートを取得する（ステップＳ５０３）。そして、取得したフレームレートと閾値（実施例１における閾値と同じ）とを比較し（ステップＳ５０４）、フレームレートが遅い場合（ステップＳ５０４“Ｙｅｓ”）、周囲は暗いものと判定してキー照明を点灯する（ステップＳ５０５）。また、ステップＳ５０４でフレームレートが速いと判定された場合（Ｓ５０４“Ｎｏ”）、周囲が明るいものと判定し、結果、キー照明は消灯される（Ｓ５１２）。
【００３０】
一方、ステップＳ５０２で照度センサモード中と判定された場合（Ｓ５０２“Ｎｏ”）、ベースバンド処理部３は、アナログ電源制御回路１４を制御することにより、カメラモジュール１のうちのアナログ系回路である、フォトダイオードアレイ１００とアンプ１０３のみに電源を供給して動作を有効にする（ステップＳ５０６）。このことにより、カメラモジュール１を使用しても消費電流が少ないまま照度を測定することができる。
そして、ＤＳＰ１１をバイパスしてベースバンド処理部３へ供給するパスであるバイパス回路１５を有効とすることにより（ステップＳ５０７）、固定されたフォトダイオードＤＣによる照度に比例したセンサ値を取得する（ステップＳ５０８）。ベースバンド処理部３は、その値を取得することで照度を測定することができる。
【００３１】
ベースバンド処理部３は、照度を測定した後バイパス回路１５を無効にし（ステップＳ５０９）、また、アナログ電源制御回路１４を制御することにより、アナログ系回路であるフォトダイオードアレイ１００、アンプ１０３に対する電源を遮断してその動作を無効にする（ステップＳ５１０）。
ベースバンド処理部３は、測定された照度によりキー照明の判定を行い（ステップＳ５１１）、取得したセンサ値が閾値より低ければ（Ｓ５１１“Ｎｏ”）周辺が暗いと判定してキー照明を点灯し（ステップＳ５０５）、取得したセンサ値が閾値より高ければ（ステップＳ５１１“Ｙｅｓ”）周辺が明るいと判定しキー照明を消灯する（ステップＳ５１２）。
【００３２】
なお、上記した実施の形態２の変形例として、カメラ動作時（カメラモードが作動しているとき）に、カメラ非動作時（照度センサが作動しているとき）の閾値を算出する方法も考えられる。通常、照度に対するカメラの露光時間とアンプ１０３のゲインとの関係は、図６、図７に示すグラフで表される。図６は、露光時間と照度の関係を、図７は、アンプ１０３のゲインと照度との関係を示したグラフである。
【００３３】
ここでは、露光時間が最も長くなったときで、アンプ１０３のゲインが最も低いときのセンサ値（図中、点線表示部分の照度）を元にカメラ非動作時の閾値の照度を算出するものとする。この場合、カメラ動作時ではフレームレートと相関を有する露光時間により算出された値であるため、カメラ非動作時に取得するセンサ値もその露光時間に合わせる必要がある。したがって、ＡＤ変換を行うサンプル時間をあわせるため、一度センサ値を取得して電荷をリセットした後、露光時間に相当する時間だけ待機した後、再度、センサ値を取得し、この値により照度を判定するものとする。
また、カメラ動作中は、露光時間のみならず、アンプ１０３のゲインと対象画素（ＤＣ）のセンサ値も同時に取得する。例えば、ベースバンド処理部３は、カメラを動作させる度に露光時間とアンプ１０３のゲインとが上記した条件（露光時間が最も長く、アンプ１０３のゲインが最も低い値をとるタイミング）に合致したときの対象画素（ＤＣ）のセンサ値の取得を試み、その値をカメラ非動作時の閾値として使用する。
【００３４】
図８は、本発明の実施の形態２の変形例に係る携帯電子機器の動作を示すフローチャートである。
以下、図８のフローチャートを参照しながら図４に示す本発明の実施の形態２の変形例の動作について詳細に説明する。
【００３５】
ベースバンド処理部３は、定期的に照度を監視するため、実施の形態１、２同様、５秒周期で行うものとし、このため５秒間の待機を行う（ステップＳ８０１）。
ベースバンド処理部３は、次に、カメラモードか否かの判定を行い（ステップＳ８０２）、カメラ動作時には（Ｓ８０２“Ｙｅｓ”）、そのフレームレートを取得する（ステップＳ８０３）。そして、取得したフレームレートと閾値とを比較し（ステップＳ８０４）、フレームレートが遅いと判定された場合（ステップＳ８０４“Ｙｅｓ”）、アンプ１０３のゲインを取得して（ステップＳ８０５）、当該アンプ１０３のゲインが０になるタイミングを待つ。
【００３６】
露光時間が最も長いときで、かつアンプ１０３のゲインが０でない場合（ステップＳ８０６“Ｎｏ”）、ベースバンド処理部３は、周囲は暗いものと判定してキー照明を点灯する（ステップＳ８１０）。ベースバンド処理部３は常にカメラの監視を行い、アンプ１０３のゲインが０になった時点で（ステップＳ８０６“Ｙｅｓ”）、ベースバンド処理部３は、バイパス回路１５を有効とし（ステップＳ８０７）、カメラの照度測定用に固定された対象画素（ＤＣ）のセンサ値を取得する（ステップＳ８０８）。センサ値取得後、ベースバンド処理部３は、バイパス回路１５を無効とし（ステップＳ８０９）、キー照明を点灯する（ステップＳ８１０）。
なお、ステップＳ８０４でフレームレートが速いと判定された場合（ステップＳ８０４“Ｎｏ”）、周囲が明るいものと判定し、結果、キー照明は消灯される（ステップＳ８１０）。
【００３７】
一方、ステップＳ８０２でカメラ非動作中であった場合（ステップＳ８０２“Ｎｏ”）、ベースバンド処理部３は、アナログ電源制御回路１４を制御することにより、カメラモジュール１のうちのアナログ系回路である、フォトダイオードアレイ１００とアンプ１０３のみに電源を供給して動作を有効にする（ステップＳ８１１）。このことにより、カメラモジュール１を使用しても消費電流が少ないまま照度を測定することができる。
そして、ＤＳＰ１１をバイパスしてベースバンド処理部３へ供給するパスであるバイパス回路１５を有効とすることにより（ステップＳ８１２）、ベースバンド処理部３は、照度測定対象画素として選択固定されたフォトダイオードＤＣより照度に比例したセンサ値を取得して一旦は破棄する（ステップＳ８１３）。そして、露光時間に相当する時間だけ待機した後（ステップＳ８１４）、再度、照度測定対象画素として選択固定されたフォトダイオードＤＣからセンサ値を取得する（ステップＳ８１５）。
【００３８】
続いて、ベースバンド処理部３は、取得したセンサ値に基づき照度を測定した後、バイパス回路１５を無効にし（ステップＳ８１６）、また、アナログ電源制御回路１４を制御することにより、電流消費を抑える為、アナログ系回路であるフォトダイオードアレイ１００、アンプ１０３に対する電源を遮断してその動作を無効にする（ステップＳ８１７）。
ベースバンド処理部３は、測定された照度によりキー照明の判定を行い（ステップＳ８１８）、取得したセンサ値が閾値より低ければ（Ｓ８１８“Ｎｏ”）周辺が暗いと判定してキー照明を点灯し（ステップＳ８１９）、取得したセンサ値が閾値より高ければ（ステップＳ８１８“Ｙｅｓ”）周辺が明るいと判定しキー照明を消灯する（ステップＳ８１０）。
【００３９】
以上説明のように本発明の実施の形態２に係る携帯電子機器によれば、キー照明の点灯、消灯を例示して消費電流を抑制する処理について説明したが、ＬＣＤモニタ５の輝度調整においても同様の手順で実施しえるものである。この場合、キー照明の点灯は、バックライト６の照度を制御してＬＣＤモニタ５の輝度を上げ、キー照明の消灯はバックライト６の照度を制御してＬＣＤモニタ５の輝度を下げる処理に代わる。
【００４０】
上記した実施の形態２に係る携帯電子機器によれば、ベースバンド処理部３が内蔵するＡＤＣにより、カメラモジュール１（イメージセンサ１０）の一部画素（照度測定対象画素ＤＣ）の受光信号に基づきＬＣＤモニタ５の輝度調整が可能になり、したがって、カメラを照度センサと兼用しながらもカメラの露出補正を用いることなく輝度調整ができるため、消費電流の抑制が可能になる。
【００４１】
また、実施の形態２の変形例に係る携帯電子機器によれば、カメラ動作中に動的な閾値の設定ができ、照度測定モードにおいても動的な閾値の設定を可能とし、かつ、カメラ動作中のフレームレートに比例した露光時間に合わせることができるため、カメラ動作中とカメラ非動作時における閾値の差を少なくすることができる。カメラ動作時の閾値の判断基準としてフレームレートを用いたのは、カメラ非動作時とこのようにして同期をとれるようにしたかった為である。従ってカメラモジュール１を照度センサとして使用者に違和感なく使用させることができることから、カメラモジュール１を照度センサとして積極的に使用させることができ、さらに消費電流の低減効果を大きくすることができる。
また、閾値（照度センサ値）を取得するときに、フレームレート等の条件に合致した時にのみセンサ値を取得することでセンサ値を決定する際の消費電流を低減することができる。なお、カメラ非動作時の照度の判定は実施の形態例２と同じ手順を用いたが、実施の形態１で使用した手順を用いても同様の効果が得られる。
【００４２】
なお、上記した本発明の実施の形態１、２に係る携帯電子機器によれば、携帯電子機器としてカメラ付き携帯電話のみ例示したが、同様の構成を有する、例えば、ＰＤＡ（Personal Digital Assistants）、や電子手帳、ゲーム機等にも同様に適用が可能である。
また、図１、図４に示す本発明の実施の形態１、２に係る携帯電子機器が有する機能は、全てをソフトウェアによって実現しても、あるいはその少なくとも一部をハードウェアで実現してもよい。例えば、ベースバンド処理部３におけるデータ処理は、１または複数のプログラムによりコンピュータ上で実現してもよく、また、その少なくとも一部をハードウェアで実現してもよい。
【図面の簡単な説明】
【００４３】
【図１】本発明の実施の形態１に係る携帯電子機器の内部構成を示すブロック図である。
【図２】図１に示すイメージセンサの内部構成を示す図である。
【図３】本発明の実施の形態１に係る携帯電子機器の動作を示すフローチャートである。
【図４】本発明の実施の形態２に係る携帯電子機器の内部構成を示すブロック図である。
【図５】本発明の実施の形態２に係る携帯電子機器の動作を示すフローチャートである。
【図６】露光時間と照度との関係を説明するために示した図である。
【図７】アンプのゲインと照度との関係を説明するために示した図である。
【図８】本発明の実施の形態２の変形例に係る携帯電子機器の動作を示すフローチャートである。
【符号の説明】
【００４４】
１…カメラモジュール、２…メモリ、３…ベースバンド処理部、４…ＲＦ回路、５…ＬＣＤモニタ、６…バックライト、１０…イメージセンサ、１１…ＤＳＰ、１２…クロック制御回路、１３…ＡＤＣ、１４…アナログ電源制御回路、１５…バイパス回路、３０…内蔵ＡＤＣ、１０１…行アドレス走査回路、１０２…列アドレス走査回路、１０３…アンプ、ＤＣ…照度測定対象画素。
【図１】
2009010697.tif 000003
【図２】
2009010697.tif 000004
【図３】
2009010697.tif 000005
【図４】
2009010697.tif 000006
【図５】
2009010697.tif 000007
【図６】
2009010697.tif 000008
【図７】
2009010697.tif 000009
【図８】
2009010697.tif 000010